(57)【要約】【課題】プランジャの回転による回転力が弁体に作用することを回避し、偏摩耗、弁漏れを生じることがない直動スライド式電磁弁を提供すること。【解決手段】弁体３を、弁体３の背面側に形成した略半円形横断面の溝部３Ｃによってプランジャ５の円形横断面の弁体保持軸部３０に、軸線方向移動を拘束された状態で中心軸線周りに回動可能に係合させる。【選択図】      図３
2004156700.tif 000002
【特許請求の範囲】
【請求項１】
電磁ソレノイド装置のプランジャに連結されたブロック状の弁体の平面状の前面が平面状の弁座面に対して軸線方向に摺接摺動することにより前記弁座面に開口しているポートの開閉を行う直動スライド式電磁弁において、
前記弁体は、背面側に略半円形横断面の溝部を形成され、前記溝部によって前記プランジャの円形横断面の弁体保持軸部に、軸線方向移動を拘束された状態で中心軸線周りに回動可能に係合する直動スライド式電磁弁。
【請求項２】
前記弁体と前記弁体保持軸部との間に前記弁体を前記弁座面の側に付勢する弁体押さえばねが設けられている請求項１記載の直動スライド式電磁弁。
【請求項３】
前記弁体保持軸部は軸線方向両端にフランジ面を有していて、前記弁体は当該フランジ面間に挟まれて軸線方向移動を拘束され、
前記弁体押さえばねは、軸線方向両端にてフランジ面間に挟まれて前記弁体の中心軸線周りの回動を阻害しない態様で前記弁体保持軸部に嵌合装着されるコの字形のスケルトン形状をなす板ばねによって構成され、前記フランジ面間において前記弁体保持軸部の径方向の両側に位置する一対のブリッチ片部を有し、前記一対のブリッチ片部の各々の中間部に突起形状のばね作用部を形成され、当該ばね作用部が前記弁体の背面側溝部の両側部分に各々に当接し、前記弁体を前記弁座面の側に付勢している請求項２記載の直動スライド式電磁弁。
【請求項４】
前記弁体は弁ハウジングに形成された弁室内にあり、前記弁座面は前記弁室の壁面の一部をなす部材として前記弁ハウジングとは別部材の弁座部材により与えられ、当該弁座部材は前記弁座面を前面として前記弁体保持軸部の径方向の押し込みによって前記弁ハウジングに組み込まれる請求項１〜３の何れか１項記載の直動スライド式電磁弁。
【請求項５】
前記弁体は弁ハウジングに形成された弁室内にあり、前記弁座面は、前記弁室の壁面の一部をなし、前記弁室に第１ポートが開口し、前記弁座面に第２ポートと第３ポートと第４ポートの３個のポートが軸線方向に整列して開口し、前記弁体は、前記第２ポートを前記弁室に開放して前記第３ポートと前記第４ポートとを連通接続する第１の流路切換位置と、前記第４ポートを前記弁室に開放して前記第２ポートと前記第３ポートとを連通接続する第２の流路切換位置との間に軸線方向移動し、四方弁をなしている請求項１〜４の何れか１項記載の直動スライド式電磁弁。
【請求項６】
前記第１の流路切換位置と前記第２の流路切換位置は各々前記プランジャが固定側のストッパ面に当接することにより決まり、その固定側のストッパ面と、この固定側のストッパ面に当接する前記プランジャの端面とのうち少なくとも一方が、緩衝材により構成されている請求項５記載の直動スライド式電磁弁。
【請求項７】
窒素吸着を行う再生可能な２つの吸着筒を有し、当該２つの吸着筒を空気供給源と排気部に対して窒素吸着の正流方向と吸着窒素パージの逆流方向とに交互に接続して酸素採集を行う酸素採集器であって、前記２つの吸着筒と前記空気供給源および排気部との流路切換を請求項５または６記載の直動スライド式電磁弁によって行う酸素採集器。
【発明の詳細な説明】
【０００１】
【発明の属する技術分野】
この発明は、直動スライド式電磁弁および酸素採集器に関し、特に、電磁ソレノイド装置によってブロック状の弁体を直結駆動して流路切換や流量制御を行う直動スライド式電磁弁および酸素採集器に関するものである。
【０００２】
【従来の技術】
直動スライド式電磁弁は、電磁ソレノイド装置のプランジャに連結されたブロック状の弁体の平面状の前面が平面状の弁座面に対して軸線方向に摺接摺動することにより、前記弁座面に開口しているポートの開閉して流路切換や流量制御を行う。
【０００３】
従来、この種の直動スライド式電磁弁としては、電磁ソレノイド装置のプランジャにリベット等によって固定された板状の弁体ホルダに弁体が弁座面に対して離接する方向に移動可能に取り付けられ、弁体ホルダに取り付けられた板ばねによって弁体を背面側から弁座面に押し付けるものや（例えば、特許文献１、２、３）、弁室内圧を弁体の背面側に作用させて弁体を弁座面に押し付けるもの（例えば、特許文献４）が知られている。
【０００４】
【特許文献１】
実公平４−４７４９３号公報
【特許文献２】
特公平４−７７８４０号公報
【特許文献３】
特公平６−６３５７７号公報
【特許文献４】
特開２０００−７４２４８号公報
【０００５】
【発明が解決しようとする課題】
直動スライド式電磁弁で使用される電磁ソレノイド装置ではプランジャの廻り止めが行われていないから、通常動作過程でプランジャが自身の中心軸線周りに回転し、この回転力が弁体に作用する。これは、従来の直動スライド式電磁弁では、弁体の平面状の前面が平面状の弁座面に摺接している状態で、弁体を弁座面に対して回転させる力となり、弁体前面が偏荷重状態で弁座面に押し付けられることになる。このため、弁体前面と弁座面との平行性が保たれ難く、偏摩耗、弁漏れを生じ易い。
【０００６】
また、従来の直動スライド式電磁弁では、プランジャに対する弁体ホルダの組み付け、板ばねのリベット止め等、部品点数が多いばかりでなく、組立工数も多いと云う問題点もある。
【０００７】
この発明は、上述の如き問題点を解消するためになされたもので、プランジャの回転による回転力が弁体に作用することを回避し、偏摩耗、弁漏れを生じることがなく、しかも、部品点数、組立工数の削減を図ることができる直動スライド式電磁弁、更にはスライド弁特有の静音性を更に向上し、優れた静音性を有し、動作音が小さいことを要求される在宅酸素療法等で使用される医療用酸素濃縮器のための酸素採集器で用いられる四方弁として好適な直動スライド式電磁弁、その直動スライド式電磁弁を四方弁として組み込まれた酸素採集器を提供することを目的としている。
【０００８】
【課題を解決するための手段】
上述の目的を達成するために、この発明による直動スライド式電磁弁は、電磁ソレノイド装置のプランジャに連結されたブロック状の弁体の平面状の前面が平面状の弁座面に対して軸線方向に摺接摺動することにより前記弁座面に開口しているポートの開閉を行う直動スライド式電磁弁において、前記弁体は、背面側に略半円形横断面の溝部を形成され、前記溝部によって前記プランジャの円形横断面の弁体保持軸部に、軸線方向移動を拘束された状態で中心軸線周りに回動可能に係合されている。
【０００９】
この発明による直動スライド式電磁弁によれば、弁体は背面側に形成された略半円形横断面の溝部によってプランジャの円形横断面の弁体保持軸部に回動可能に係合しているので、プランジャが回転しても、その回転力が弁体に作用することがない。つまり、弁体がプランジャと共に回転（回動）することがない。
【００１０】
なお、この発明による直動スライド式電磁弁は、前記弁体と前記弁体保持軸部との間に前記弁体を前記弁座面の側に付勢する弁体押さえばねが設けられている構成とすることもできる。
【００１１】
そのように構成すれば、弁体が弁体押さえばねによって弁座面に押し付けられているので、プランジャが回転しても弁体の回転が弁座面により規制されて、プランジャと共に弁体が回転（回動）することが、確実に規制される。
【００１２】
この発明による直動スライド式電磁弁は、詳細な構成として、前記弁体保持軸部は軸線方向両端にフランジ面を有していて、前記弁体は当該フランジ面間に挟まれて軸線方向移動を拘束され、前記弁体押さえばねは、軸線方向両端にてフランジ面間に挟まれて前記弁体の中心軸線周りの回動を阻害しない態様で前記弁体保持軸部に嵌合装着されるコの字形のスケルトン形状をなす板ばねによって構成され、前記フランジ面間において前記弁体保持軸部の径方向の両側に位置する一対のブリッチ片部を有し、前記一対のブリッチ片部の各々の中間部に突起形状のばね作用部を形成され、当該ばね作用部が前記弁体の背面側溝部の両側部分に各々に当接し、前記弁体を前記弁座面の側に付勢している。
【００１３】
また、この発明による直動スライド式電磁弁は、前記弁体が弁ハウジングに形成された弁室内にあり、前記弁座面は前記弁室の壁面の一部をなす部材として前記弁ハウジングとは別部材の弁座部材により与えられ、当該弁座部材は前記弁座面を前面として前記弁体保持軸部の径方向の押し込みによって前記弁ハウジングに組み込まれる構造にすることができる。
【００１４】
この直動スライド式電磁弁では、弁座面を前面として弁座部材が弁体保持軸部の径方向に押し込まれることにより、弁座面が弁体の前面に当接し、弁体前面が弁座面と平行になるように、弁体が弁体保持軸部の中心軸線周りに回動し、弁体の姿勢が自己修正される。
【００１５】
また、この発明による直動スライド式電磁弁は、前記弁体が弁ハウジングに形成された弁室内にあり、前記弁座面は、前記弁室の壁面の一部をなし、前記弁室に第１ポートが開口し、前記弁座面に第２ポートと第３ポートと第４ポートの３個のポートが軸線方向に整列して開口し、前記弁体は、前記第２ポートを前記弁室に開放して前記第３ポートと前記第４ポートとを連通接続する第１の流路切換位置と、前記第４ポートを前記弁室に開放して前記第２ポートと前記第３ポートとを連通接続する第２の流路切換位置との間に軸線方向移動し、四方弁をなしている。
【００１６】
この発明による直動スライド式電磁弁は、更に、前記第１の流路切換位置と前記第２の流路切換位置は各々前記プランジャが固定側のストッパ面に当接することにより決まり、その固定側のストッパ面と、この固定側のストッパ面に当接する前記プランジャの端面とのうち少なくとも一方が、緩衝材により構成されており、ストッパ衝突音の低減が図られている。
【００１７】
また、上述の目的を達成するために、この発明による酸素採集器は、窒素吸着を行う再生可能な２つの吸着筒を有し、当該２つの吸着筒を空気供給源と排気部に対して窒素吸着の正流方向と吸着窒素パージの逆流方向とに交互に接続して酸素採集を行う酸素採集器であって、前記２つの吸着筒と前記空気供給源および排気部との流路切換を上述の発明による直動スライド式電磁弁によって行う。
【００１８】
【発明の実施の形態】
以下に添付の図を参照してこの発明の実施の形態を詳細に説明する。
図１〜図１１はこの発明による直動スライド式電磁弁を四方弁として実施した一つの実施の形態を示している。
【００１９】
直動スライド式電磁弁は、図１に示されているように、弁ハウジング１と、弁座部材２と、弁体３と、プランジャチューブ４、プランジャ５、吸引子６および電磁コイル７による電磁ソレノイド装置８とを有している。
【００２０】
弁ハウジング１と弁座部材２は個別のアルミニウム製部品である。弁座部材２は弁ハウジング１に形成された横孔部１ＡにＯリング９によって気密に嵌合挿入され、横孔部１Ａに挿入された弁座部材２と弁ハウジング１とが弁室１０を画定している。
【００２１】
横孔部１Ａに対する弁座部材２の押し込み方向、換言すれば、横孔部１Ａの延在方向はプランジャ５の後述する弁体保持軸部３０の径方向（左右方向）になっており、弁座部材２の押し込み方向の前面が弁室１０の壁面の一部をなす平面状の弁座面１１になっている。
【００２２】
弁ハウジング１には弁室１０に開口した第１ポート（Ｃポート）１２が管接続孔として形成されている。垂直平面をなす弁座面１１には、第２ポート（Ｂポート）１３と、第３ポート（Ｄポート）１４と、第４ポート（Ａポート）１５の３個のポートが互いに等間隔をおいて軸線方向（上下方向）に整列して開口している。弁座面１１に開口している３個のポートは、各々、弁座部材２に形成された通路１６、１７、１８によって各々個別に管接続孔１９、２０、２１に連通している。
【００２３】
プランジャチューブ４は、ステンレス鋼製で、下端部外周にステンレス鋼製の取付リング２２をノンフラックス溶接され、取付リング２２を弁ハウジング１に形成されている取付孔１Ｂに嵌合挿入され、取付孔１Ｂの開口縁部のかしめ２３（図９参照）によって弁ハウジング１に固定されている。取付リング２２と取付孔１Ｂとの嵌合部には気密用のＯリング２４が挟まれている。なお、プランジャチューブ４と取付リング２２とのノンフラックス溶接は、図１０に示されているように、プランジャチューブ４の下端側の溶接部２５により行われている。
【００２４】
プランジャチューブ４の上端には吸引子６がノンフラックス溶接によって固着されている。プランジャチューブ４の外周には電磁コイル７が嵌合しており、電磁コイル７はボルト２６によって吸引子６に固定されている。なお、プランジャチューブ４と吸引子６とのノンフラックス溶接は、図１１に示されているように、プランジャチューブ４の上端側の溶接部２７により行われている。
【００２５】
プランジャ５はプランジャチューブ４内に軸線方向に移動可能に設けられている。プランジャ５の吸引子６との対向部は吸引子６の先端部６Ａが入ることができる凹部５Ａになっており、凹部５Ａの深さ分、所要ストロークを確保したプランジャ・吸引子間軸長の短縮が図られている。
【００２６】
凹部５Ａの底部には、ゴム、樹脂等による緩衝材製の消音シート２８が敷かれており、消音シート２８の上面が吸引子６の先端面６Ｂと当接するストッパ面になっている。取付孔１Ｂの底部にも、ゴム、樹脂等による緩衝材製の消音シート２９が敷かれており、消音シート２９の上面がプランジャ５の段差面５Ｂと当接するもう一方のストッパ面になっている。
【００２７】
プランジャ５と吸引子６との間には圧縮コイルばね３４が挟まれている。圧縮コイルばね３４はプランジャ５を下方に付勢している。
【００２８】
プランジャ５は、電磁コイル７に通電が行われていないオフ状態時には、図１に示されているように、圧縮コイルばね３４のばね力によって段差面５Ｂが取付孔１Ｂの消音シート２９に当接する降下位置に位置し、電磁コイル７に通電が行われているオン状態時には、圧縮コイルばね３４のばね力に抗して上昇移動した凹部５Ａの底部の凹部５Ａの消音シート２８が吸引子６の先端面６Ｂと当接する上昇位置に位置する。
【００２９】
プランジャ５の下端側（段差面５Ｂより下側）は、弁ハウジング１に形成された連通孔１Ｃを通って弁室１０内にある。弁室１０内に位置しているプランジャ５の下端部は円形横断面の弁体保持軸部３０になっている。弁体保持軸部３０は軸線方向両端にフランジ面３１、３２を有している。
【００３０】
弁体３は、プラスチックス成形品であってブロック状をなし、弁座面１１に対向する平面状の前面３Ａに連通接続用凹部３Ｂを有し、背面側に略半円形横断面の溝部３Ｃ（図３参照）を形成されている。弁体３は、溝部３Ｃによってプランジャ５の弁体保持軸部３０に中心軸線周りに回動可能に係合し、フランジ面３１、３２間に挟まれて軸線方向移動を拘束されている。この軸線方向移動の拘束により、弁体３は、プランジャ５と直結状態で、プランジャ５と共に軸線方向移動する。
【００３１】
弁体３と弁体保持軸部３０との間には弁体３を弁座面１１の側に付勢する弁体押さえばね３３が設けられている。弁体押さえばね３３は、図３によく示されているように、半円状逃げ部３３Ａ、３３Ｂを有する軸線方向両端の端片３３Ｃ、３３Ｄにてフランジ面３１、３２間に挟まれ、弁体３の中心軸線周りの回動を阻害しない態様で、弁体保持軸部３０に嵌合装着されるコの字形のスケルトン形状をなす板ばねによって構成されている。
【００３２】
弁体押さえばね３３は、フランジ面３１、３２間において弁体保持軸部３０の径方向の両側に位置して端片３３Ｃと３３Ｄを接続する一対のブリッチ片部３３Ｅ、３３Ｆを有し、このブリッチ片部３３Ｅ、３３Ｆの各々の中間部に突起形状のばね作用部３３Ｇ、３３Ｈを形成されている。弁体押さえばね３３は、ばね作用部３３Ｇ、３３Ｈが弁体３の背面側溝部３Ｃの両側部分３Ｄ、３Ｅに各々に当接することにより、弁体３を弁座面１１の側に付勢している。
【００３３】
つぎに、弁体３、弁体押さえばね３３、弁座部材２の組立手順を、図４〜図８を参照して説明する。
図４に示されているように、弁体保持軸部３０のフランジ面間寸法Ａ、自由状態での弁体押さえばね３３の端片３３Ｃ、３３Ｄの先端間寸法Ｂｆ、付根端間寸法Ｃは、Ｃ＜Ａ＜Ｂｆである。弁体押さえばね３３の組み込みは、弁座部材２を弁ハウジング１に組み込む以前に、横孔部１Ａをアクセスホールとして、図５に示されているように、端片３３Ｃ、３３Ｄの付根端側より端片３３Ｃ、３３Ｄを内側に変形させながら弁体押さえばね３３を、既に弁室１０内に組み込まれている弁体保持軸部３０のフランジ面３１、３２間に挿入する。
【００３４】
最終的には、図６に示されているように、端片３３Ｃ、３３Ｄの半円状逃げ部３３Ａ、３３Ｂ（図３参照）の奥部が弁体保持軸部３０の外周面に当たるまで行う。この状態では、端片３３Ｃ、３３Ｄの変形による張りによって弁体保持軸部３０に中心軸線周りに回転変位可能に固定される。
【００３５】
この取付状態では、図６に示されているように、弁体押さえばね３３の端片３３Ｃ、３３Ｄの先端間寸法Ｂｓと弁体３の軸線方向寸法Ｄは、Ｂｓ≧Ｄであり、端片３３Ｃ、３３Ｄ間に弁体３を差し込む。この差し込みは、図７（ａ）、（ｂ）に示されているように、弁体３の背面側溝部３Ｃの両側部分３Ｄ、３Ｅが、弁体押さえばね３３のばね作用部３３Ｇ、３３Ｈに当接するまで行う。
【００３６】
弁体３、弁体押さえばね３３の組み付け完了後に、弁座面１１を前面として弁座部材２を横孔部１Ａに挿入する。この挿入は、弁体保持軸部３０の径方向の押し込みにより行われ、弁座面１１が弁体３の前面３Ａに当接する。弁座部材２が正規の位置まで挿入されると、弁座面１１によって弁体３の前面３Ａが押され、図８（ａ）、（ｂ）に示されているように、弁体前面３Ａが弁座面１１と平行になるように、弁体３が弁体保持軸部３０の中心軸線周りに回動し、弁体３の姿勢が自己修正される。この時には、ばね作用部３３Ｇ、３３Ｈが各々撓み、弁体３の前面３Ａが両側より均等に弁座面１１に押し付けられ、適正な弁締切りシール圧が得られる。
【００３７】
上述したように、弁体３は、背面側に形成された略半円形横断面の溝部３Ｃによってプランジャ５の円形横断面の弁体保持軸部３０に回動可能に係合し、弁体押さえばね３３によって弁座面１１に押し付けられているので、プランジャ５が回転しても、その回転力が弁体３に作用することがなく、弁体３がプランジャ５と共に回転（回動）することがない。
【００３８】
したがって、プランジャ５が回転しても、弁体前面３Ａが平行な状態で弁座面１１に均等に押し付けられた適正状態が保たれ、弁体前面３Ａが偏荷重状態で弁座面１１に押し付けられることがなく、長期間の使用でも、偏摩耗や弁漏れを生じることがない。
【００３９】
つぎに、四方弁としての直動スライド式電磁弁の流路切換について説明する。電磁コイル７に通電が行われておらず、プランジャ５が図１に示されているように、降下位置に位置している場合には、弁体３は、第２ポート１３を弁室１０に開放して連通接続用凹部３Ｂによって第３ポート１４と第４ポート１５とを連通接続する第１の流路切換位置に位置する。
【００４０】
これに対し、電磁コイル７に通電が行われ、プランジャ５が上昇位置に位置すると、弁体３は、図２に示されているように、第４ポート１５を弁室１０に開放して連通接続用凹部３Ｂによって第２ポート１３と第３ポート１４とを連通接続する第２の流路切換位置に移動する。
【００４１】
この弁体３の第１の流路切換位置と第２の流路切換位置との間の移動は、弁体前面３Ａが弁座面１１に対してスライドするだけで、衝突を伴わないので、衝突音を生じることなく静かに行われる。
【００４２】
また、プランジャ５が降下位置と上昇位置に位置する時のプランジャ５のストッパ面との当接は、消音シート２８、２９によって行われるから、消音シート２８、２９による消音効果により、プランジャ衝突音の低減も図られ、優れた静音性が得られる。
【００４３】
図１２はこの発明による酸素採集器（医療用酸素濃縮器）の一つの実施の形態を示している。酸素採集器は、大気圧送を行うコンプレッサ５０と、ゼオライト等の窒素吸着剤を充填されて窒素吸着を行う再生可能な２つのシーブカラム（吸着筒Ａ、吸着筒Ｂ）５１、５２と、酸素を貯容するレシーバタンク５３と、レギュレータ５４と、鼻カニューラ５５を接続されるフィルタ５６と、四方弁５７と、二方弁（電磁開閉弁）５８と、３個の逆止弁５９、６０、６１を有している。
【００４４】
四方弁５７は、上述した直動スライド式電磁弁により構成されており、第１ポート（Ｃポート）１２をコンプレッサ５０の吐出サイドに、第４ポート（Ａポート）１５をシーブカラム（吸着筒Ａ）５１に、第２ポート（Ｂポート）１３をもう一つのシーブカラム（吸着筒Ｂ）５２に、第３ポート（Ｄポート）１４を窒素の大気パージを行う逆止弁（排気部）５９に各々接続されている。
【００４５】
シーブカラム５１、５２は各々逆止弁６０、６１を介してレシーバタンク５３の酸素取入側に接続され、レシーバタンク５３の酸素取出側にはレギュレータ５４、フィルタ５６が順に接続されている。また、シーブカラム５１と５２は二方弁５８によって相互に接続されている。
【００４６】
四方弁５７は、図１３（ａ）に示しているようなタイミングで、繰り返しオン・オフし、オン状態時には実線によって示されている流れが得られ、オフ状態時には破線によって示されている流れが得られる。これにより、吸着筒Ａと吸着筒Ｂとが、空気供給源であるコンプレッサ５０と排気部である逆止弁５９に対して窒素吸着の正流方向と吸着窒素パージの逆流方向とに交互に接続される。
【００４７】
二方弁５８は、図１３（ｂ）に示しているようなタイミングで、繰り返しオン・オフし、オン（弁開）状態時には吸着窒素パージ側の吸着筒に対してパージ圧を与える。これにより、吸着窒素のパージが促進される。
【００４８】
上述した酸素採集動作時には、四方弁５７は、１０秒程度のサイクル時間をもって頻繁にオン、オフを繰り返すが、四方弁５７を構成する上述の直動スライド式電磁弁の弁体３は、プランジャ５が回転しても、回転しないので、弁体前面３Ａが平行な状態で弁座面１１に均等に押し付けられた適正状態が保たれ、弁体前面３Ａが偏荷重状態で弁座面１１に押し付けられることがなく、長期間の使用でも、偏摩耗や弁漏れを生じることがない。
【００４９】
しかも、四方弁５７を構成する上述の直動スライド式電磁弁はスライド弁であるので、優れた静音性が得られる。更には、プランジャ５が降下位置と上昇位置に位置する時のプランジャ５のストッパ面との当接が消音シート２８、２９によって行われるから、この消音シートによる消音効果により、プランジャ衝突音の低減も図られ、優れた静音性が保たれる。
【００５０】
なお、この発明による直動スライド式電磁弁は、上述した四方弁に限られることはなく、３方弁等の他のスライド式流路切換弁やスライド式流量制御弁等、全てのスライド式弁で実施することが可能である。
【００５１】
【発明の効果】
以上の説明から理解される如く、この発明による直動スライド式電磁弁によれば、プランジャが回転しても、その回転力が弁体に作用することがなく、弁体がプランジャと共に回転（回動）することがないから、弁体前面が平行な状態で弁座面に均等に押し付けられた適正状態が保たれ、弁体前面が偏荷重状態で弁座面に押し付けられることがなく、長期間の使用でも、偏摩耗や弁漏れを生じることがない。
【図面の簡単な説明】
【図１】この発明による直動スライド式電磁弁を四方弁として実施した一つの実施の形態を示すオフ状態時の縦断面図である。
【図２】この発明による直動スライド式電磁弁を四方弁として実施した一つの実施の形態を示すオフ状態時の要部の縦断面図である。
【図３】この発明による直動スライド式電磁弁の弁体保持部の一つの実施の形態を示す分解斜視図である。
【図４】この発明による直動スライド式電磁弁の弁体、弁体押さえばね、弁座部材の組立手順１を示す正面図である。
【図５】この発明による直動スライド式電磁弁の弁体、弁体押さえばね、弁座部材の組立手順２を示す正面図である。
【図６】この発明による直動スライド式電磁弁の弁体、弁体押さえばね、弁座部材の組立手順３を示す正面図である。
【図７】（ａ）はこの発明による直動スライド式電磁弁の弁体、弁体押さえばね、弁座部材の組立手順４を示す正面図、（ｂ）は図７（ａ）の線Ａ−Ａ断面図である。
【図８】（ａ）はこの発明による直動スライド式電磁弁の弁体、弁体押さえばね、弁座部材の組立手順５を示す正面図、（ｂ）は図８（ａ）の線Ｂ−Ｂ断面図である。
【図９】この発明による直動スライド式電磁弁の取付リングのかしめ結合部を拡大して示す断面図である。
【図１０】この発明による直動スライド式電磁弁のプランジャチューブと取付リングとの溶接部を拡大して示す断面図である。
【図１１】この発明による直動スライド式電磁弁のプランジャチューブと吸引子との溶接部を拡大して示す断面図である。
【図１２】この発明による酸素採集器（医療用酸素濃縮器）の一つの実施の形態を示すブロック線図である。
【図１３】（ａ）はこの発明による酸素採集器の四方弁のオン・オフタイミングをタイムチャート、（ｂ）はこの発明による酸素採集器の二方弁のオン・オフタイミングをタイムチャートである。
【符号の説明】
１  弁ハウジング
２  弁座部材
３  弁体
３Ａ  前面
３Ｃ  溝部
４  プランジャチューブ
５  プランジャ
６  吸引子
７  電磁コイル
８  電磁ソレノイド装置
１０  弁室
１１  弁座面
１２  第１ポート（Ｃポート）
１３  第２ポート（Ｂポート）
１４  第３ポート（Ｄポート）
１５  第４ポート（Ａポート）
２８、２９  消音シート
３０  弁体保持軸部
３１、３２  フランジ面
３３  弁体押さえばね
３３Ｇ、３３Ｈ  ばね作用部
３４  圧縮コイルばね
５０  コンプレッサ
５１  シーブカラム（吸着筒Ａ）
５２  シーブカラム（吸着筒Ｂ）
５３  レシーバタンク
５４  レギュレータ
５５  鼻カニューラ
５６  フィルタ
５７  四方弁
５８  二方弁
５９〜６１  逆止弁
【図１】
2004156700.tif 000003
【図２】
2004156700.tif 000004
【図３】
2004156700.tif 000005
【図４】
2004156700.tif 000006
【図５】
2004156700.tif 000007
【図６】
2004156700.tif 000008
【図７】
2004156700.tif 000009
【図８】
2004156700.tif 000010
【図９】
2004156700.tif 000011
【図１０】
2004156700.tif 000012
【図１１】
2004156700.tif 000013
【図１２】
2004156700.tif 000014
【図１３】
2004156700.tif 000015